(57)【要約】【課題】  コイン式シャワールームにおいて、内部における入浴施設の利用状況に応じて、設備の駆動や開閉扉の施錠を自動的に管理する。【解決手段】  入浴用ユニット設備１００は、内部に入浴設備を備えた個室を画成するユニット本体２と、ユニット本体２の内部と外部を遮蔽する開閉扉１０７と、開閉扉１０７の開閉を規制する施錠手段１４と、ユニット本体２の外部に設けられ、料金の支払いを行う外側支払部３２と、ユニット本体２の内部に設けられ、料金の支払いを行う内側支払部２２と、外側支払部３２及び内側支払部２２における支払状況に応じて、施錠手段１４の駆動を制御する施錠制御部１３と、外側支払部３２及び内側支払部２２における支払状況に応じて、時間経過を測定するタイマー１１と、タイマー１１により測定された時間経過に従って、入浴設備の駆動を制御する駆動制御部２６とを備える。【選択図】  図１
2005251187.tif 000002
【特許請求の範囲】
【請求項１】
内部に入浴設備を備えた個室を画成するユニット本体と、
前記ユニット本体の内部と外部を遮蔽する開閉扉と、
前記開閉扉の開閉を規制する施錠手段と、
前記ユニット本体の外部又は内部に設けられ、料金の支払いを行う支払部と、
前記支払部における支払状況に応じて、前記施錠手段の駆動を制御する施錠制御部と、
前記支払部における支払状況に応じて、時間経過を測定するタイマーと、
前記タイマーにより測定された時間経過に従って、前記入浴設備の駆動を制御する駆動制御部と
を備えたことを特徴とする入浴用ユニット設備。
【請求項２】
前記施錠手段は、前記タイマーの測定結果に基づいて前記入浴設備の使用状態を判定し、該入浴設備が使用中の間、前記ユニット本体外部からの操作による解錠を禁止し、該ユニット本体内部からの操作による解錠を可能とするように前記施錠手段の駆動を制御することを特徴とする請求項１に記載の入浴用ユニット設備。
【請求項３】
前記入浴設備には、日焼け用のタンニング装置が含まれ、
前記支払部は、前記タンニング装置の使用料用の支払いと、該タンニング装置以外の入浴設備の使用料用の支払いとが区別可能となっており、
前記タンニング装置は、前記ユニット本体内部の側壁面に配置され、
前記ユニット本体内部の床面付近には、収納可能にタンニング台が配置され、
前記タンニング台は、前記タンニング装置の使用に際して該床面上に位置し、収納時には前記タンニング装置と対向するように位置し、
前記タイマーは、前記タンニング台の状態に応じて、前記タンニング装置の使用時間と、前記タンニング装置以外の入浴設備の使用時間とを区別して測定する
ことを特徴とする請求項１又は２に記載の入浴用ユニット設備。
【請求項４】
前記ユニット本体内部に、上下動可能に吊下され、該ユニット本体内部の各側壁面に対向配置される環状のパイプ体と、
前記パイプ体の外方に向けて配置された噴射口と
前記入浴設備の駆動状態に応じて、前記パイプ体を上下動させるとともに、垂直方向に回動させる駆動手段と、
前記噴射口に水流を供給する水流供給手段と
を備えることを特徴とする請求項１に記載の入浴用ユニット設備。
【発明の詳細な説明】
【技術分野】
【０００１】
本発明は、内部に入浴設備や洗浄設備を備え、料金の支払いに応じて入浴設備の提供や参上作業を行うための入浴用ユニット設備に関する。
【背景技術】
【０００２】
従来、料金の支払いに応じて入浴設備の提供を行うための入浴用ユニット設備として、コイン式シャワールームが開発されている。この従来のコイン式シャワールームでは、内部にコイン投入手段を備えるとともに、その開閉扉に施錠手段を設け、個室内部において料金の支払い及び施錠が可能となっている（例えば特許文献１参照）。
【特許文献１】実開平６−３２６８２号公報
【発明の開示】
【発明が解決しようとする課題】
【０００３】
しかしながら、従来のコイン式シャワールームは、その開閉扉に施錠手段を設け、内部からの施錠が可能となっているため、外部からの解錠ができず、例えば内部に入った者が、入浴以外の目的で内部に進入し、そのまま出てこないというようなトラブルに対応できないという問題があった。その一方で、外部からの解錠が自由にできるとすると、使用中に不用意に開閉扉が開けられてしまう惧れが生じる。さらには、シャワールームの汚れに対し、これを完璧に清掃するシステムもなかった。
【０００４】
このような問題を回避するためには、利用者の入退室を始終監視していなければならず、例えばコンビニエンスストアー等で、入浴サービスを提供するような場合には、監視や清掃するための人員を用意しなければならず、その人件費が課題となる可能性がある。
【０００５】
そこで、本発明は以上の点に鑑みてなされたもので、コイン式シャワールームにおいて、内部における入浴施設の利用状況に応じて、設備の駆動や開閉扉の施錠を自動的に管理し、設備の維持管理費の低廉化、及び自動洗浄による清潔化を図ることのできる入浴用ユニット設備を提供することをその課題とする。
【課題を解決するための手段】
【０００６】
上記課題を解決するために、本発明に係る入浴用ユニット設備は、内部に入浴設備を備えた個室を画成するユニット本体と、ユニット本体の内部と外部を遮蔽する開閉扉と、開閉扉の開閉を規制する施錠手段と、ユニット本体の内部又は外部に設けられ、料金の支払いを行う支払部と、支払部における支払状況に応じて、施錠手段の駆動を制御する施錠制御部と、支払部における支払状況に応じて、時間経過を測定するタイマーと、タイマーにより測定された時間経過に従って、入浴設備の駆動を制御する駆動制御部とを備えることを特徴とする。
【０００７】
このような本発明に係る入浴用ユニット設備によれば、料金の支払いをユニット本体の内部と外部との両方で可能となるとともに、その支払い状況と時間経過に応じて、開閉扉の施錠や、シャワーや照明等の入浴設備の駆動を制御することができるため、入浴設備の使用を終了した者が長時間にわたって内部に居座るのを防止することができるとともに、外部から不用意に開閉扉が開けられてしまうのを回避することができる。
【０００８】
また、上記開閉扉の施錠や、利用時間の経過に関する管理は、自動的に制御されるため、そのための人員を必要とせず、人件費の削減を期待することができる。なお、本発明においては、前記ユニット本体内部において、シャワー室と更衣室とを一体的に設けたり、これらのシャワー室と更衣室とを開閉可能に区画する間仕切用の扉を設けたりしてもよい。
【０００９】
上記発明において施錠手段は、タイマーの測定結果に基づいて入浴設備の使用状態を判定し、入浴設備が使用中の間、ユニット本体外部からの操作による解錠を禁止し、ユニット本体内部からの操作による解錠を可能とするように施錠手段の駆動を制御することが好ましい。この場合には、内部で使用中のときには、外部からの他者の進入を防止することができるとともに、内部からの緊急避難等を確保することができる。
【００１０】
上記発明において、入浴設備には、日焼け用のタンニング装置が含まれ、支払部は、タンニング装置の使用料用の支払いと、タンニング装置以外の入浴設備の使用料用の支払いとが区別可能となっており、タンニング装置は、ユニット本体内部の側壁面に配置され、ユニット本体内部の床面付近には、収納可能にタンニング台が配置され、タンニング台は、タンニング装置の使用に際して床面上に位置し、収納状態でタンニング装置と対向するように位置し、タイマーは、タンニング台の状態に応じて、タンニング装置の使用時間と、タンニング装置以外の入浴設備の使用時間とを区別して測定することが好ましい。
【００１１】
この場合には、タンニング台の使用状態に応じて、タンニングの料金と、入浴の料金とを分けて徴収することができる。また、タンニング台を垂直にしてタンニング装置と対向させることにより、タンニング用ライトによるタンニング台の滅菌や殺菌が可能となり衛生的となる。
【００１２】
上記発明において、ユニット本体内部に、上下動可能に吊下され、ユニット本体内部の各側壁面に対向配置される環状のパイプ体と、パイプ体の外方に向けて配置された噴射口とパイプ体を上下動させるとともに垂直方向に回動させる駆動手段と、噴射口に水流を供給する水流供給手段とを備えることが好ましい。この場合には、パイプ体の噴射口から水流（スチーム等を含む）を噴射しつつ上下動させることにより、自動的にユニット本体内部を全面的に洗浄することができる。また、パイプ体を垂直に回動させることによって、ユニット本体内部の床面にも水流を噴射させることができ、自動的に床面の洗浄も行うことができる。なお、この洗浄については、回転又は振動する、ブラシやスポンジ等の洗浄用部材を取付けてもよい。
【発明の効果】
【００１３】
以上説明したように本発明によれば、コイン式シャワールームにおいて、内部における入浴施設の利用状況に応じて、設備の駆動や開閉扉の施錠を自動的に管理することができるとともに、内部の全面的な自動洗浄が可能となり、そのための人件費を削減し、設備の維持管理費やサービス料金の低廉化及び清潔化を図ることができる。
【発明を実施するための最良の形態】
【００１４】
（入浴用ユニット設備の構成）
本発明の実施形態について、図面を参照しつつ説明する。図１は、本実施形態に係る入浴用ユニット設備の概略構成を示す説明図である。
【００１５】
同図に示すように、本実施形態に係る入浴用ユニット設備１００は、内部にシャワー１０３や、照明１０２、タンニング用ライト１０４等の入浴設備を備えた個室を画成するユニット本体２と、ユニット本体２の内部と外部を遮蔽する開閉扉１０７と、開閉扉１０７の開閉を規制する施錠手段１４と、ユニット本体２に備えられた制御ボックス１とを備えている。
【００１６】
なお、本実施形態において、入浴用ユニット設備１００の内壁及び外壁は、光触媒性の素材で形成されている。この光触媒とは、例えば「二酸化チタン」であり、紫外線エネルギーや熱エネルギーを受け取ることによって、強力な酸化還元反応を示し、付近のレジオネラ菌やその他細菌を殺菌・分解する機能を備えた素材である。これにより、後述するタンニング用ライトを照射することにより、室内の殺菌・乾燥を有効に行うことができる。
【００１７】
図２は、上記ユニット本体２正面の側壁１００ａの断面図である。同図に示すように、上記制御ボックス１は、側壁１００ａの内外にわたって設けられ、ユニット本体２の内外からの操作が可能となっている。具体的に、この制御ボックス１には、外側から硬貨等を投入するための外側支払部３２と、内側から硬貨等を投入するための内側支払部２２が設けられている。
【００１８】
また、側壁１００ａに取り付けられた開閉扉１０７の内部には施錠手段が設けられており、開閉扉１０７の表裏には、施錠手段に対する手動操作を行う外側操作部３４と内側操作部２４とが設けられている。また、開閉扉１０７の開閉は、例えば、回動可能なドアノブなど、開閉扉１０７の表裏に取り付けられた外側開閉操作部３３と、内側開閉操作部２３により行われる。
【００１９】
図３は、ユニット本体２の内部に備えられた各装置、及び上記制御ボックス１の内部構成を示すブロック図である。
【００２０】
制御ボックス１には、外側支払部３２及び内側支払部２２における支払状況に応じて、施錠手段１４の駆動を制御する施錠制御部１３と、外側支払部３２及び内側支払部２２における支払状況に応じて、時間経過を測定するタイマー１１と、タイマー１１により測定された時間経過に従って、入浴設備（給湯用ガス１０１、照明１０２、シャワー１０３、タンニング用ライト１０４等）、非常灯１０５、警告部１０６などの駆動を制御する駆動制御部２６とを備えている。
【００２１】
施錠手段１４には、緊急時に手動により解錠するための、手動施錠部１５が接続されており、この手動施錠部１５には、外側操作部３４及び内側操作部２４が連結されている。本実施形態において、外側操作部３４は、管理者以外の者が解錠できないように、キー３４ａにより解錠するようになっており、その一方、内側操作部２４は、ツマミ等により解錠できるようになっている。
【００２２】
上記施錠制御部１３や駆動制御部２６は、ＣＰＵ等の演算処理装置によって構成された中央制御部１２によって集中的に制御されている。この中央制御部１２には、残り時間や使用状態等を表示する外側表示部３１や内側表示部２１、内側支払部２２及び外側支払部３２も接続されている。
【００２３】
また、本実施形態に係る中央制御部１２には、盗撮防止センサ２５が接続されている。この盗撮防止センサ２５は、図５に示すように、ユニット本体２の壁面内に埋め込まれたメッシュ６に接続されており、例えば、盗撮用の孔を外壁に空けようとして金属等のドリルを使用した場合、このメッシュ６の電気抵抗が変化し、この変化を検知することにより、盗撮防止センサ２５が反応する。この反応があった場合には、例えば、警告部１０６によりブザー等を鳴動させることができる。
【００２４】
（入浴用ユニット設備の動作・作用）
このような構成の本実施形態による入浴用ユニット設備は、以下のように動作する。図４は、本実施形態に係る入浴用ユニット設備の動作を示すフローチャート図である。
【００２５】
同図に示すように、未使用状態にあっては、常に外側から自動ロックがされている（Ｓ１０１）。そして、外側からの支払いがあると（Ｓ１０２）、ロックが解除され（Ｓ１０３）、入室が可能となる（Ｓ１０４）。
【００２６】
利用者が入室し、開閉扉１０７が閉止されると、開閉センサ１６がそれを検知し、外側から自動的にロックがなされる（Ｓ１０５）。これに合わせて、タイマー１１が始動され、経過時間の測定が開始され、シャワー等の設備の利用が可能となる（Ｓ１０６及びＳ１０７）。なお、この間においても、内側からの解錠が可能となっている。
【００２７】
そして、利用中、制御ボックス１による計測が続行され、その間、支払われた料金に応じた利用可能時間が満了しないか否か、すなわちタイムアップになるかどうかについて、ループ処理により繰り返し判断される（Ｓ１０８）。
【００２８】
ここで、タイムアップとなったときには（ステップＳ１０８における”Ｙ”）、追加支払を要求する（Ｓ１０９）。この要求に応じて、利用者が追加料金の支払いをしたときには、タイマーを延長し（Ｓ１１５）、上述したステップＳ１０６〜Ｓ１０９の処理を繰り返す。
【００２９】
ステップＳ１０９において、追加料金の支払いをしない場合には、シャワー等の駆動を停止する（Ｓ１１０）。本実施形態では、この時点では、照明１０２は、点灯したままとし、退室用のタイマーを始動し、利用者の退室について待機状態となる（Ｓ１１１）。
【００３０】
そして、退室待機中、タイマー１１による計測が続行され、その間、待機時間が満了しないか否か、すなわちタイムアップになるかどうかについて、ループ処理により繰り返し判断される（Ｓ１１２）。
【００３１】
ここで、タイムアップとなったときには（ステップＳ１１２における”Ｙ”）、追加支払を要求する（Ｓ１１３）。この要求に応じて、利用者が追加料金の支払いをしたときには、タイマーを延長し（Ｓ１１５）、上述したステップＳ１０６〜Ｓ１０９の処理を繰り返す。
【００３２】
ステップＳ１１３において、追加料金の支払いをしない場合には、照明１０２を消灯するとともに、非常灯１０５を点灯させ、利用者の退室を促す（Ｓ１１４）。なお、このとき、強制的に施錠手段１４を解錠するようにしてもよい。
【００３３】
このような本実施形態に係る入浴用ユニット設備１００によれば、料金の支払いをユニット本体２の内部と外部との両方で可能となるとともに、その支払い状況と時間経過に応じて、開閉扉１０７の施錠や、シャワー１０３や照明１０２等の入浴設備の駆動を制御することができるため、入浴設備の使用を終了した者が長時間にわたって内部に居座るのを防止することができるとともに、外部から不用意に開閉扉１０７が開けられてしまうのを回避することができる。
【００３４】
また、上記開閉扉１０７の施錠や、利用時間の経過に関する管理は、自動的に制御されるため、そのための人員を必要とせず、人件費の削減を期待することができる。
【００３５】
さらに、本実施形態において施錠手段１４は、タイマーの測定結果に基づいて入浴設備の使用状態を判定し、入浴設備が使用中の間、ユニット本体２外部からの操作による解錠を禁止し、ユニット本体２内部からの操作による解錠を可能とするように施錠手段の駆動を制御するため、内部で使用中のときには、外部からの他者の進入を防止することができるとともに、内部からの緊急避難等を確保することができる。
【００３６】
（変更例１）
なお、本発明は上述した実施形態に限定されるものではなく、種々の変更を加えることができる。
【００３７】
すなわち、上述した実施形態では、内側支払部２２及び外側支払部３２を、硬貨等を投入する形式としたが、例えば図６に示すような、キャッシュカード等による支払を可能としてもよい。この場合には、内側支払部２２及び外側支払部３２に、カード認証用のオンライン設備を接続し、カード使用の際に、カード認証、支払能力の確認等を行うようにすることができる。
【００３８】
また、上記実施形態において、中央制御部１２は、タンニング用ライト１０４の使用料用の支払いと、タンニング用ライト１０４以外の入浴設備（シャワー１０３など）の使用料用の支払いとを区別可能としてもよい。
【００３９】
この場合には、例えば、図７（ａ）及び（ｂ）に示すようなタンニング台４を設けることが好ましい。このタンニング台４は、ユニット本体２内部の床面１００ｂ付近において、回動軸４１によって垂直方向に回動可能に配置され、水平状態で床面１００ｂ上に位置して足部４ａにより、高さ数センチの足台となる。この数センチの足台とすることにより、この台上に上がったユーザーの全身をタンニング用ライト１０４により照射することができる。また、タンニング台４は、垂直状態でタンニング用ライト１０４と対向するように位置され、タンニング用ライト１０４による紫外線の照射によって、タンニング台４の滅菌や殺菌が可能となり衛生的となる。
【００４０】
また、このタンニング台４を設ける場合には、タイマー１１は、タンニング台４の回動状態に応じて、タンニング用ライト１０４の使用時間と、シャワー１０３等のタンニング装置以外の入浴設備の使用時間とを区別して測定する。これにより、タンニング台４の使用状態に応じて、タンニングの料金と、入浴の料金とを分けて徴収することができる。
【００４１】
さらに、図８（ａ）及び（ｂ）に示すような、洗浄装置５をユニット本体２内部に設けてもよい。この洗浄装置５は、ユニット本体２内において上下動可能に吊下され、ユニット本体２内部の各側壁１００ａに対向配置される環状のパイプ体５１と、パイプ体５１の外方に向けて配置された噴射口と、パイプ体５１を吊下するとともに噴射口に水流を供給するホース５２とから構成される。
【００４２】
ホース５２は、水や湯、洗浄剤、スチーム等の水流を、所定の水圧をもって噴射口に供給するとともに、複数本一組で設けられて図示しない駆動手段により上下動される。なお、噴射口としては、図９（ａ）及び（ｂ）に示すようなスリット状のものや、同図（ｃ）に示すようなノズル状のものを採用することができる。
【００４３】
これらのホース５２が複数本同時に上下されれば、パイプ体５１は水平状態を保ったまま上下され側壁１００ａの洗浄を行うことができ、他方のホース５２を固定或いは低速で上下させ、一方のホース５２を他方のものよりも速く上下させることにより、パイプ体５１を垂直状態にして床面１００ｂの洗浄を行うことができる。
【００４４】
（変更例２）
次いで、上記実施形態の変更例２について説明する。図１０（ａ）は、変更例２に係る入浴用ユニット設備の概略構成を示す上面図であり、（ｂ）はタンニング台の構成及び動作を示す説明図である。
【００４５】
本変更例では、上述した入浴用ユニット設備１００に、間仕切扉２１２ａ及び２１２ｂを設けて入浴用ユニット設備２００とし、この間仕切扉２１２ａ及び２１２ｂによって、入浴用ユニット設備２００内をシャワー室２１０と更衣室２１１とに分割したことを特徴とする。なお、変更例においても、シャワー室や更衣室の内壁・外壁を光触媒性の素材で形成する。
【００４６】
間仕切扉２１２ａ及び２１２ｂは、両開き扉であり、閉止した状態において更衣室２１１側の面にタンニング用ライト２１４が配置されている。また、更衣室２１１内には、タンニング台２１３が配置されており、このタンニング台２１３は、間仕切扉２１２ａ及び２１２ｂを開放した状態で、更衣室２１１内からシャワー室２１０内に迫り出すようになっている。
【００４７】
具体的には、同図（ｂ）に示すように、リンク機構により、上面２１３ａが、収納時にあっては閉止されたタンニング用ライト２１４と対向するように、迫り出し時にあっては上方に位置するように回動させるようになっている。なお、この迫り出す態様としては、水平方向にスライドさせるようにしてもよい。
【００４８】
そして、このような本変更例によれば、間仕切扉２１２ａ及び２１２ｂを閉止した状態にあってはタンニング用ライト２１４は更衣室内を照射可能となり、収納されたタンニング台２１３を殺菌し、開放した状態にあっては、迫り出されたタンニング台２１３上のユーザーを側方から照射する。
【００４９】
なお、この間仕切扉の構成としては、図１１（ａ）〜（ｃ）に示す２１４ａ及び２１４ｂのように、表裏を透明なアクリルなど透光性のある素材とし、扉の表裏に向けて紫外線を照射可能としてもよい。これにより、間仕切扉を閉止した状態であっても、シャワー室２１０においてタンニングが可能となり、それと同時に更衣室２１１の殺菌や乾燥が可能となる。
【００５０】
そして、このような間仕切扉２１２ａ及び２１２ｂ（２１４ａ及び２１４ｂ）を設ける場合には、タイマー１１は、間仕切扉の開閉状態に応じて、タンニング用ライト２１４の使用時間と、シャワー１０３等のタンニング装置以外の入浴設備の使用時間とを区別して測定する。これにより、間仕切扉の使用状態に応じて、タンニングの料金と、入浴の料金とを分けて徴収することができる。
【００５１】
（変更例３）
次いで、上記実施形態の変更例３について説明する。本変更例では、上述した洗浄装置５に壁面清掃用の洗浄ローラー５３を設けたことを特徴とする。図１２は、上述した洗浄装置５にローラー５３を設けた状態を示す概略構成図であり、図１３（ａ）は、本変更例に係るローラーの斜視図であり、（ｂ）は、その断面図であり、（ｃ）は、その側面図である。
【００５２】
このローラー５３は、モーター等の駆動手段５６により、側面に接触した状態で回転又は振動するものであり、円筒状のブラシやスポンジ、ウレタン等で形成されたローラー部５３ａと、ローラー部５３ａの長手方向に突出しローラー部５３ａとともに回転する補助ブラシ５３ｂとから構成されている。この洗浄ローラー５３は、モーター５４に巻き取られるワイヤー５５により吊下されており、モーター５４の駆動により上下動される。
【００５３】
このような洗浄ローラー５３によれば、洗浄装置５から流水等の噴霧を行いつつローラー部５３ａ及び補助ブラシ５３ｂを回転させ、上下動させる。これにより、シャワー室２１０内の壁面をより効果的に洗浄することができる。
【００５４】
（変更例４）
次いで、上記実施形態の変更例４について説明する。本変更例では、上述した入浴用ユニット設備１００の側壁１００ａに、回動可能な洗面台７０を設けたことを特徴とする。図１４は、本変更例に係る洗面台の断面図である。
【００５５】
洗面台７０は、水を出す蛇口７６と、この水を貯める貯水部７４と、貯水部７４から排水を外部へ流出させる排水パイプ７５と、排水の逆流を防止するトラップ部７３と、これらを一体化する洗面台本体７２とから概略構成される。
【００５６】
洗面台本体７２は、軸支部７１により垂直方向に回転可能となっており、使用に際しては、同図（ａ）に示すように、貯水部７４が水平となるように側壁１００ａから張出され、収納時にあっては、同図（ｂ）に示すように、側壁１００ａと面一となり、且つ貯水部７４の内面が室内に向くように、垂直に吊下される。
【００５７】
このような洗面台７０によれば、ユーザーが洗顔等をする際には、洗面台本体７２を引き出して貯水部７４が水平となるように回動させ、使用後には、洗面台本体７２を垂直方向に回転させて貯水部７４が室内に面するように収納する。この収納状態において上述した洗浄装置５による洗浄を行っても、洗面台７０は側壁１００ａと面一となるため、洗浄装置５の通過の妨げとならない。また、貯水部７４の内面が室内に向けられているため、洗浄装置５により洗浄されることとなり、洗面台の衛生を保つことができる。
【００５８】
（変更例５）
次いで、上記実施形態の変更例５について説明する。本変更例では、上述した入浴用ユニット設備１００の上部に、水平方向に開閉する開閉天井６０を設けたことを特徴とする。図１５（ａ）及び（ｂ）は、本変更例に係る開閉天井の構成及び動作を示す側断面図である。
【００５９】
この開閉天井６０は、上記５１を天井部に格納するためのものであり、水平方向にスライドして室外へ移動される可撓性を有したシャッター６３と、その駆動手段とから構成される。この駆動手段としては、天井側に設けられたモーター６１と、モーター６１により巻き出しされるワイヤー６２と、ワイヤー６２をガイドするローラー６４と、シャッター６３の他端に設けられた錘６５とから構成される。
【００６０】
シャッター６３は、蛇腹のような機械的に可撓性を有する部材でもよく、ビニールやアクリル、その他の柔軟な部材で構成してもよい。そして、シャッター６３は、図１６に示すように、側壁１００ａに設けられた開口部６６を通じて、室内外間において出し入れされて開閉する。すなわち、モーター６１によりワイヤー６２を緩めると、錘６５の重量によってシャッター６３が、開口部６６を通じて室外へ引き出され、天井部が開放される。一方、モーター６１によってワイヤー６２を巻き上げるとシャッター６３が室内に引き込まれ、天井部が閉止されることとなる。
【００６１】
なお、シャッター６３の室内側端部には、防水パット６３ａが取り付けられているとともに、開口部６６の内側部にはゴム鍔６６ａが取付けられている。防水パット６３ａは、シャッター６３が室外へ引き出される際のストッパーの役割と、シャッター６３が開放されている状態において、開口部６６を閉塞させ、室内を洗浄装置５によって洗浄する際の放水が開口部６６から外部へ出るのを防止する役割を果たす。また、ゴム鍔６６ａは、シャッター６３が開口部６６内をスライドする際に、シャッター６３の露払いを行い、シャッター６３に付着した水分を払拭する。
【００６２】
このような開閉天井６０によれば、洗浄装置５が天井部に収納されているときには天井部とシャワー室を隔成し、洗浄装置５からの滴が室内に落下するのを防止するとともに、洗浄装置５を保護することができる。
【図面の簡単な説明】
【００６３】
【図１】実施形態に係る入浴用ユニット設備の概略構成を示す説明図である。
【図２】実施形態に係るユニット本体２正面の側壁の断面図である。
【図３】実施形態に係るユニット本体２の内部に備えられた各装置、及び上記制御ボックス１の内部構成を示すブロック図である。
【図４】実施形態に係る入浴用ユニット設備の動作を示すフローチャート図である。
【図５】実施形態に係る盗撮防止センサの仕組みを示す一部切欠図である。
【図６】変更例１に係る入浴用ユニット設備の概略構成を示す説明図である。
【図７】変更例１に係るタンニング台の説明図である。
【図８】変更例１に係る洗浄装置の説明図である。
【図９】変更例１に係る洗浄装置に備えられた噴射口の例を示す説明図である。
【図１０】（ａ）は、変更例２に係る入浴用ユニット設備の概略構成を示す上面図であり、（ｂ）はタンニング台の構成及び動作を示す説明図である。
【図１１】変更例２に係る間仕切扉の構成のさらなる変更例である。
【図１２】変更例３において、洗浄装置５にローラー５３を設けた状態を示す概略構成図である。
【図１３】（ａ）は、本変更例３に係るローラーの斜視図であり、（ｂ）は、その断面図であり、（ｃ）は、その側面図である。
【図１４】変更例４に係る洗面台の断面図である。
【図１５】（ａ）及び（ｂ）は、変更例５に係る開閉天井の構成及び動作を示す側断面図である。
【図１６】変更例５に係る開閉天井の説明図である。
【符号の説明】
【００６４】
１…制御ボックス、２…ユニット本体、４…タンニング台、４ａ…足部、５…洗浄装置、６…メッシュ、１１…タイマー、１２…中央制御部、１３…施錠制御部、１４…施錠手段、１５…手動施錠部、１６…開閉センサ、２１…内側表示部、２２…内側支払部、２３…内側開閉操作部、２４…内側操作部、２５…盗撮防止センサ、２６…駆動制御部、３１…外側表示部、３２…外側支払部、３３…外側開閉操作部、３４…外側操作部、３４ａ…キー、４１…回動軸、５１…パイプ体、５２…ホース、５３…洗浄ローラー、５３ａ…ローラー部、５３ｂ…補助ブラシ、５４…モーター、５５…ワイヤー、５６…駆動手段、６０…開閉天井、６１…モーター、６２…ワイヤー、６３…シャッター、６３ａ…防水パット、６４…ローラー、６５…錘、６６…開口部、６６ａ…ゴム鍔、７０…洗面台、７１…軸支部、７２…洗面台本体、７３…トラップ部、７４…貯水部、７５…排水パイプ、７６…蛇口、１００，２００…入浴用ユニット設備、１００ａ…側壁、１００ｂ…床面、１０１…給湯用ガス、１０２…照明、１０３…シャワー、１０４，２１４…タンニング用ライト、１０５…非常灯、１０６…警告部、１０７…開閉扉、２００…入浴用ユニット設備、２１１…更衣室、２１２ａ，２１２ｂ，２１４ａ，２１４ｂ…間仕切扉、２１３…タンニング台、２１３ａ…上面
【図１】
2005251187.tif 000003
【図２】
2005251187.tif 000004
【図３】
2005251187.tif 000005
【図４】
2005251187.tif 000006
【図５】
2005251187.tif 000007
【図６】
2005251187.tif 000008
【図７】
2005251187.tif 000009
【図８】
2005251187.tif 000010
【図９】
2005251187.tif 000011
【図１０】
2005251187.tif 000012
【図１１】
2005251187.tif 000013
【図１２】
2005251187.tif 000014
【図１３】
2005251187.tif 000015
【図１４】
2005251187.tif 000016
【図１５】
2005251187.tif 000017
【図１６】
2005251187.tif 000018